(57)【要約】【課題】  三折れ式バックルにあって、、バンド駒との連結作業を容易にしながらも、バックルとしてのデザイン性に優れたバックル構造を提供することにある。【解決手段】  バックル構造１０は、上箱１１と中板１２と下板１３を互いに可動状態に連結させ、それらの三折れ状態でバンドを留めるものである。さらに、その三折れ状態を維持するために、下板１３の外側端部に回動可能に取り付けられた回動部材２０を、上箱１１の上面に形成された溝部１４に被嵌させるロック機構（Ｗロック機構）を備える。そして、下板１３の外側端部に、バンドと連結するための連結ピンを保持可能とする連結部材３０を取り付ける。【選択図】  図１
2006122529.tif 000002
【特許請求の範囲】
【請求項１】
上箱と中板と下板を互いに可動状態に連結させ、それらの三折れ状態でバンドを留め、さらに、その三折れ状態を維持するために、下板の外側端部に回動可能に取り付けられた回動部材を、上箱上面に形成された溝部に被嵌させるロック機構を備えたバンドのバックル構造であって、
前記下板の外側端部に、バンドと連結するための連結ピンを保持可能とする連結部材を取り付け、その連結部材が三折れ状態で上箱に被覆されることを特徴とするバンドのバックル構造。
【請求項２】
連結部材は、断面略コ字形をしており、垂下する両側部にピン孔を設けて連結ピンを保持可能とする請求項１記載のバンドのバックル構造。
【請求項３】
連結部材は、回動部材を取り付けるために前記下板の外側端部に設けられたピン部材を介して取り付けられた請求項１又は２記載のバンドのバックル構造。
【請求項４】
連結部材は、垂下する背部を下板に係合させて回動不可能に固定させた請求項１から３のいずれかに記載のバンドのバックル構造。
【請求項５】
両端部を収縮可能とするバネ棒ピンで上箱と中板を連結しながら、上箱の両側面から突出するバネ棒ピンのその両端部で回動部材を係止させる請求項１から４のいずれかに記載のバンドのバックル構造。
【請求項６】
請求項１から５のいずれかに記載のバンドのバックル構造を備えた装身具。
【発明の詳細な説明】
【技術分野】
【０００１】
本発明は、バンドの留め具（締め具）として用いられるいわゆる三折れ式バックルの構造に関するものである。
【背景技術】
【０００２】
図４は、従来の三折れ式バックルを示した説明図である。図４（Ａ）に示すように、バックル４０は、上箱４１と中板４２と下板４３とを備え、それらを互いに可動状態で連結させている。そして、それらを折り重ねると、下板４３の外側端部に起立して設けられた爪部４４が、上箱４１と中板４２の連結部分（図示せず）に掛け止めされて、三折れ状態となるとともに、下板４３の外側端部に回動可能に取り付けられた回動部材４５を上箱４１の上面に形成された溝部４６に被嵌させるロック機構を備えることで、この三折れ状態が維持される（図４（Ｂ））。
【０００３】
また、特許文献１では、同じく三折れ式バックルの発明が開示されている。図５及び図６は、その特許文献１に開示されたバックルを示す。このバックルが、図４に示す従来のバックル４０と異なるのは、いわゆるプッシュ式で三折れ状態を開閉する点の他に、バンドを取り付けるために「連結板１３」を備えている点である。
【０００４】
【特許文献１】特開平１０−３２７９１４号公報
【発明の開示】
【発明が解決しようとする課題】
【０００５】
しかしながら、上記した従来技術には、以下のような問題点があった。
（１）図４に示すバックル４０では、下板４３にバンドを構成するバンド駒（ツナギカン）４７を連結するために、バンド駒４７に備えたＬ字形の継手４８を、下板４３の外側端部に設けられたピン部材４９にカーリングして取り付けていた。しかし、このような作業は極めて困難であり、バンドの交換や修理などによって必要となるバックル４０とバンド駒４７の連結作業は専門店のアフターサービスによって行わなければならなかった。
（２）また、図５及び図６に示す特許文献１に開示されたバックルは、「連結板１３」を備えていることで、バンド駒との連結に連結ピン（バネ棒ピン）を用いることができる。このため、図４に示すバックル４０のようにバンド駒４７に備えたＬ字形の継手４８をカーリングする必要がなく、バンド駒との連結作業が容易となる。しかし、「連結板１３」が三折れ部材の外に出ているためバックルとしてのデザインが途切れ、デザインの一体性に欠ける。
【課題を解決するための手段】
【０００６】
これら問題点を踏まえ、本願第一の発明は、上箱と中板と下板を互いに可動状態に連結させ、それらの三折れ状態でバンドを留め、さらに、その三折れ状態を維持するために、下板の外側端部に回動可能に取り付けられた回動部材を、上箱上面に形成された溝部に被嵌させるロック機構を備えたバンドのバックル構造であって、前記下板の外側端部に、バンドと連結するための連結ピンを保持可能とする連結部材を取り付け、その連結部材が三折れ状態で上箱に被覆されることを特徴とするものである。
第二の発明は、連結部材が、断面略コ字形をしており、垂下する両側部にピン孔を設けて連結ピンを保持可能とすることを特徴とするものである。
第三の発明は、連結部材が、回動部材を取り付けるために前記下板の外側端部に設けられたピン部材を介して取り付けられたことを特徴とするものである。すなわち、ピン部材が回動部材を取り付けるためだけでなく、連結部材を取り付けるためにも使用されるので部品点数の削減、構造のスリム化につながる。
第四の発明は、連結部材が、垂下する背部を下板に係合させて回動不可能に固定させたことを特徴とするものである。すなわち、連結部材が回動不可能となることで、連結部材が安定化し、バンド駒との連結作業がし易くなる。
第五の発明は、両端部を収縮可能とするバネ棒ピンで上箱と中板を連結しながら、上箱の両側面から突出するバネ棒ピンのその両端部で回動部材を係止させることを特徴とするものである。すなわち、バネ棒ピンの収縮可能な両端部で回動部材を係止させることで、回動部材が上箱の溝部に確実に被嵌されるようになる。
第六の発明は、上記第一から第五のいずれかのバンドのバックル構造を備えた装身具であることを特徴とするものである。
【発明の効果】
【０００７】
本発明によれば、以下のような効果を有する。
（１）バンドのバックル構造に、バンドと連結するための連結ピンを保持可能とする連結部材を備えることで、バンド駒との連結に連結ピンを使用でき、連結作業が容易となる。
（２）その連結部材が、三折れ状態で上箱に被覆されることで、連結部材が三折れ部材に隠れてバックルとしてのデザインに一体性を欠くことがない。また、連結部材が三折れ部材の外に位置しないので、バックルの長さが長くならない。
【発明を実施するための最良の形態】
【０００８】
本発明の実施の形態を図面に基づいて説明する。
図１は、本発明のバンドのバックル構造を示す説明図である。
バックル構造１０は、上箱１１と中板１２と下板１３を互いに可動状態に連結させ、それらの三折れ状態でバンドを留めるものである。さらに、その三折れ状態を維持するために、下板１３の外側端部に回動可能に取り付けられた回動部材２０を、上箱１１の上面に形成された溝部１４に被嵌させるロック機構（Ｗロック機構）を備える。
【０００９】
そして、下板１３の外側端部に、バンドと連結するための連結ピンを保持可能とする連結部材３０を取り付ける。この連結部材３０は、断面略コ字形をしており、垂下する両側部３１，３１にピン孔３２，３２を設けて連結ピンを保持可能とする。この結果、バンド駒との連結に連結ピン、とくにバネ棒ピンを使用できるので連結作業が容易となる。
【００１０】
また、連結部材３０はバックルの三折れ状態で、上箱１１に被覆されるようになっている。その結果、バックルとしてのデザインに一体性がでる。また、連結部材３０が三折れ部材（上箱１１と中板１２と下板１３の三折れ状態）の外に位置しないので、バックルの長さが長くならない。
【００１１】
図２は、下板１３の外側端部を分解した分解図であり、図３は、下板１３の外側端部を正面からみた正面図である。
連結部材３０は、回動部材２０を取り付けるために下板１３の外側端部に設けられたピン部材１８を介して取り付けられる。すなわち、下板１３の外側端部に形成された起立部１５，１５の外側に回動部材２０に設けられた取付孔２１，２１を、起立部１５，１５の内側に連結部材３０に設けられた取付孔３３，３３をそれぞれ位置させる。そして、ピン部材１８を挿通させることで、回動部材２０及び連結部材３０を併せて取り付けるものである。これにより、部品点数の削減でき、バックル構造がスリム化される。
【００１２】
また、連結部材３０は、垂下する背部３４を下板１３に形成された切り溝１６に差し込んで下板１３と係合させる。これにより、連結部材３０は、下板１３の外側端部に回動不可能に固定される。連結部材３０が回動不可能となることで、連結部材３０が安定化し、バンド駒との連結作業がし易くなる。
【００１３】
さらに、回動部材２０は、取付孔２１，２１に並んで係止孔２２，２２を設けている。
これは、両端部を収縮可能とするバネ棒ピン（図示省略）で上箱１１と中板１２を連結しながら（図１を参照）、上箱１１の両側面から突出するバネ棒ピンのその両端部１９，１９が回動部材２０の係止孔２２，２２に嵌合し、回動部材２０を係止させるものである。これにより、回動部材２０が上箱１１の溝部１４に確実に被嵌されるようになる。
【産業上の利用可能性】
【００１４】
本発明は、バンドのバックル構造に係るものであるため、時計バンドのバックルやベルト（バンド）のバックルなど広くバンド類のバックル構造に利用できるものである。
【図面の簡単な説明】
【００１５】
【図１】本発明のバンドのバックル構造を示す説明図。
【図２】下板の外側端部を分解した分解図。
【図３】下板の外側端部を正面からみた正面図。
【図４】従来の三折れ式バックルを示した説明図。
【図５】特許文献１に開示されたバックルを示す分解斜視図。
【図６】特許文献１に開示されたバックルを示す側面図。
【符号の説明】
【００１６】
１０  バックル構造    １１  上箱    １２  中板    １３  下板    １４  溝部
１５  起立部      １６  切り溝    １８  ピン部材  １９  端部
２０  回動部材    ２１  取付孔    ２２  係止孔
３０  連結部材    ３１  側部      ３２  ピン孔    ３３  取付孔    ３４  背部
４０  ピン部材    ４１  端部
【図１】
2006122529.tif 000003
【図２】
2006122529.tif 000004
【図３】
2006122529.tif 000005
【図４】
2006122529.tif 000006
【図５】
2006122529.tif 000007
【図６】
2006122529.tif 000008